(57)【特許請求の範囲】
【請求項１】
互いに異なる光学特性を有する光源光を出射し、各々別体に構成された複数の光源モジュールと、
前記複数の光源モジュール各々が独立して機械的に着脱自在な照射モジュールと、
を具備し、
前記照射モジュールは、
前記光源光を導光し、前記光源光の一方の光学特性に応じた光学特性を有する第１の導光部材と、
前記光源光を導光し、前記光源光の他方の光学特性に応じ、前記第１の導光部材の光学特性とは異なる光学特性を有する第２の導光部材と、
前記第１の導光部材によって導光された前記光源光の一方の前記光学特性を変換して、前記光源光を第１の変換光として出射する第１の光変換ユニットと、
前記複数の光源モジュール各々に対して、独立して嵌合可能な複数の固定部と、
を有し、
前記第１の導光部材の中心軸は、前記第１の導光部材の前記第１の光変換ユニットが配設された側の近傍において、前記第２の導光部材の中心軸に対して平行に配設され、
前記第１の光変換ユニットは、前記第１の導光部材と光学的に接続し、前記第２の導光部材と光学的に分離していることを特徴とする光源システム。
【請求項２】
前記第１の導光部材は、前記光源光を出射する第１の出射端部を有し、
前記第２の導光部材は、前記光源光を出射する第２の出射端部を有し、
前記第１の出射端部と、前記第２の出射端部と、前記第１の光変換ユニットとは、保持部材によって直接的または間接的にまとめて保持されていることを特徴とする請求項１に記載の光源システム。
【請求項３】
前記第１の光変換ユニットは、前記第１の変換光を出射する第３の出射端部を有し、
前記第１の出射端部と前記第２の出射端部と前記第３の出射端部とが前記第１の導光部材の前記中心軸に対して直交する平面に投影された際、前記平面に形成される前記第１の出射端部の投影図の外縁は前記平面に形成される前記第３の出射端部の投影図の外縁により囲まれ、前記第３の出射端部の前記投影図の前記外縁は前記平面に形成される前記第２の出射端部の投影図の外縁により囲まれていることを特徴とする請求項２に記載の光源システム。
【請求項４】
前記第１の出射端部は円形状を有し、前記第２の出射端部はリング形状を有し、前記第３の出射端部は円形状を有し、前記第１の出射端部と前記第２の出射端部と前記第３の出射端部とにおける前記外縁は同心円状に配設されることを特徴とする請求項３に記載の光源システム。
【請求項５】
前記第２の出射端部の前記投影図の前記外縁は、楕円形状または多角形状または楕円形状と多角形状の複合形状を有することを特徴とする請求項３に記載の光源システム。
【請求項６】
前記第１の導光部材は、単線の光ファイバによって形成され、
前記第２の導光部材は、複数の光ファイバの素線が束ねられることで形成されるバンドルファイバを有することを特徴とする請求項３に記載の光源システム。
【請求項７】
前記第１の導光部材と前記第２の導光部材とは、前記第１の出射端部と前記第２の出射端部とにおいて、互いに固定されており、
固定された部分よりも入射端部側において、前記第１の導光部材と前記第２の導光部材との少なくとも一部は、互いに空間的に移動可能であることを特徴とする請求項６に記載の光源システム。
【請求項８】
前記第２の導光部材における前記素線は、前記第２の出射端部において、複数のグループに分割され、前記グループごとに束ねられて固定されていることを特徴とする請求項７に記載の光源システム。
【請求項９】
前記第２の導光部材は、前記第２の導光部材がＣ字の筒形状を有するように、複数の前記光ファイバの素線が束ねられることによって、形成されていることを特徴とする請求項７に記載の光源システム。
【請求項１０】
前記第１の光変換ユニットに配設され且つ前記第１の変換光を出射する第３の出射端部は、前記第１の導光部材の中心軸に対して直交する第１の平面に配設され、
前記第２の導光部材の前記第２の出射端部は、前記第１の導光部材の中心軸に対して直交する第２の平面に配設され、
前記第２の平面は、前記第１の平面と同一平面上に配設される、または前記第１の平面よりも前記光源モジュールから離れて配設されていることを特徴とする請求項２に記載の光源システム。
【請求項１１】
前記第２の導光部材は、複数の光ファイバの素線が束ねられることで形成されるバンドルファイバを有し、
前記第２の出射端部は、前記第１の光変換ユニットの少なくとも一部を囲むように、前記第１の光変換ユニットの少なくとも一部に取り付けられていることを特徴とする請求項１０に記載の光源システム。
【請求項１２】
前記第２の出射端部を含む前記第２の導光部材において、前記第１の導光部材が前記第２の導光部材の内部に配設されるための空洞部が前記第２の導光部材の内部に形成されるように、前記素線は束ねられていることを特徴とする請求項１１に記載の光源システム。
【請求項１３】
前記第１の光変換ユニットは、一方の前記光学特性に含まれるピーク波長とスペクトル形状と配光と光量との少なくとも１つを変換することを特徴とする請求項２に記載の光源システム。
【請求項１４】
前記第１の光変換ユニットは、前記ピーク波長と前記スペクトル形状と前記配光と前記光量とを変換する波長変換部材を有することを特徴とする請求項１３に記載の光源システム。
【請求項１５】
前記第１の光変換ユニットは、前記配光を変換する配光部材を有することを特徴とする請求項１３に記載の光源システム。
【請求項１６】
前記第２の導光部材と前記第１の光変換ユニットとに光学的に接続する第２の光変換ユニットをさらに具備し、
前記第２の光変換ユニットは、前記第２の出射端部から出射される前記光源光の他方の前記光学特性と、前記第１の光変換ユニットから出射される前記第１の変換光の一方の前記光学特性とに含まれるピーク波長とスペクトル形状と配光と光量との少なくとも１つとを変換し、前記光源光と前記第１の変換光との少なくとも一方を第２の変換光に変換することを特徴とする請求項２に記載の光源システム。
【請求項１７】
前記第２の光変換ユニットは、前記配光を所望に変換する少なくとも１枚のレンズを有することを特徴とする請求項１６に記載の光源システム。
【請求項１８】
前記第１の導光部材によって導光される前記光源光は、レーザ光またはスーパルミネッセント光を有することを特徴とする請求項２に記載の光源システム。
【請求項１９】
前記レーザ光は、３７０ｎｍ〜５００ｎｍの波長を有する青色領域のレーザ光を有し、
前記第１の光変換ユニットは、前記青色領域のレーザ光の一部を吸収し、白色光に変換して出射することを特徴とする請求項１８に記載の光源システム。
【請求項２０】
前記第２の導光部材によって導光される前記光源光は、ランプ光またはＬＥＤ光を有することを特徴とする請求項１８に記載の光源システム。
【請求項２１】
前記第２の導光部材によって導光される前記光源光は、白色光を有することを特徴とする請求項２０に記載の光源システム。
【請求項２２】
前記第１の光変換ユニットは、前記第１の変換光を出射する第３の出射端部を有し、
前記第１の出射端部と前記第２の出射端部と前記第３の出射端部とが前記第１の導光部材の前記中心軸に対して直交する平面に投影された際、前記平面に形成される前記第１の出射端部の投影図の外縁は前記平面に形成される前記第３の出射端部の投影図の外縁により囲まれ、前記第３の出射端部の前記投影図の前記外縁は前記平面に形成される前記第２の出射端部の投影図の外縁と略隣接していることを特徴とする請求項２に記載の光源システム。
【請求項２３】
前記複数の固定部は、
前記第１の導光部材と前記複数の光源モジュールの一方とを接続する第１の固定部と、
前記第２の導光部材と前記複数の光源モジュールの他方とを接続する第２の固定部と、
を有し、
前記第１の固定部と前記第２の固定部とは、前記照射モジュールにおいて互いに異なる平面に配設されていることを特徴とする請求項１乃至請求項２２のいずれか１項に記載の光源システム。
【請求項２４】
前記第１の固定部が配設される第１の平面は、前記第２の固定部が配設される第２の平面に対して直交していることを特徴とする請求項２３に記載の光源システム。
【請求項２５】
前記第１の導光部材は、前記第１の固定部に対して直線状に配設され、
前記第２の導光部材は、前記第２の固定部に対して屈曲して配設されていることを特徴とする請求項２３に記載の光源システム。
【請求項２６】
前記複数の固定部は、前記複数の光源モジュール各々に対して、選択的に嵌合可能であることを特徴とする請求項１乃至請求項２５のいずれか１項に記載の光源システム。
【発明の詳細な説明】
【技術分野】
【０００１】
本発明は、複数の導光部材を有する光源システムに関する。
【背景技術】
【０００２】
例えば特許文献１には、２種類の光源と、これら光源に対応する２種類の導光部材とが搭載された蛍光内視鏡を有する光源システムが開示されている。
【０００３】
この光源システムは、光源として、レーザ光を出射するレーザ光源と、一般照明光を出射する一般照明光源とを有している。レーザ光と一般照明光とは、生体組織を照射する。一般照明光が生体組織を照射することで得られる画像と、レーザ光が生体組織を照射することで得られる蛍光画像とは、イメージガイドを経由して、テレビカメラによって観察される。
【０００４】
なお蛍光内視鏡は、レーザ光をレーザ光源から内視鏡の先端部へと導光するレーザ光用光ファイバである第１の導光部材と、一般照明光をレーザ光源から内視鏡の先端部へと導光する一般照明光用光ファイバである第２の導光部材と、第１の導光部材と第２の導光部材とよりも内視鏡の先端部側に配設されている拡散板である光変換ユニットとを有している。
【０００５】
一般照明光用光ファイバは、レーザ光用光ファイバを密着するように囲んでいる。光変換ユニットは、第１の導光部材と第２の導光部材とから分離している。
【先行技術文献】
【特許文献】
【０００６】
【特許文献１】特開平１０−３３７２７１号公報
【発明の概要】
【発明が解決しようとする課題】
【０００７】
上記した特許文献１において、レーザ光用光ファイバから出射されるレーザ光の光学特性と、一般照明光用光ファイバから出射される一般照明光の光学特性とは、異なる。この光学特性とは、例えば配光、色、明るさなどを示す。これら光学特性が異なる場合、例えば観察時においてレーザ光が一般照明光に切り替わると、生態組織を表示装置で観察する観察者は違和感を抱いてしまう。  
そして光学特性が異なると、光源システムはそれぞれの光源に対応する専用且つ特殊な導光機構を有する必要があり、結果として一般照明光光学系と蛍光観察用レーザ光学系といった目的に応じた専用の光源システムが構築されてしまう。これにより光源システムは高価となり、光源システムのコストパフォーマンスが低下してしまう。
【０００８】
言い換えると、互いの光学特性が揃うように調整されることによって、光源システムは、様々な目的に対して共有でき、目的に応じた個別の専用システムを構築することなく対応できる。これにより光源システムは安価となり、光源システムのコストパフォーマンスが向上する。
【０００９】
本発明の目的は、これらの事情に鑑みてなされたものであり、様々な目的に対して、目的に応じた個別の専用システムを構築することなく対応できる光源システムを提供することを目的とする。
【課題を解決するための手段】
【００１０】
本発明は目的を達成するために、互いに異なる光学特性を有し、各々別体に構成された光源光を出射する複数の光源モジュールと、前記複数の光源モジュール各々が独立して機械的に着脱自在な照射モジュールと、を具備し、前記照射モジュールは、前記光源光を導光し、前記光源光の一方の光学特性に応じた光学特性を有する第１の導光部材と、前記光源光を導光し、前記光源光の他方の光学特性に応じ、前記第１の導光部材の光学特性とは異なる光学特性を有する第２の導光部材と、前記第１の導光部材によって導光された前記光源光の一方の前記光学特性を変換して、前記光源光を第１の変換光として出射する第１の光変換ユニットと、前記複数の光源モジュール各々に対して、独立して嵌合可能な複数の固定部と、を有し、前記第１の導光部材の中心軸は、前記第１の導光部材の前記第１の光変換ユニットが配設された側の近傍において、前記第２の導光部材の中心軸に対して平行に配設され、前記第１の光変換ユニットは、前記第１の導光部材と光学的に接続し、前記第２の導光部材と光学的に分離していることを特徴とする光源システムを提供する。
【発明の効果】
【００１１】
本発明によれば、様々な目的に対して、目的に応じた個別の専用システムを構築することなく対応できる光源システムを提供することができる。
【図面の簡単な説明】
【００１２】
【図１】図１は、本発明の第１実施形態に係る光源システムの概略図である。
【図２】図２は、導光部材７３の正面図である。
【図３Ａ】図３Ａは、入射端部側から見た導光部材７７の正面図である。
【図３Ｂ】図３Ｂは、出射端部側から見た導光部材７７の正面図である。
【図４】図４は、導光ユニットと第１の光変換ユニットとの概略斜視図である。
【図５】図５は、導光ユニットと光変換ユニットとの構成を示す図である。
【図６】図６は、図５に示す６−６線における導光ユニットの正面図である。
【図７】図７は、変形例１を示し、第２の光源モジュールを示す概略図である。
【図８】図８は、変形例２を示し、導光部材７７の出射端部側の斜視図である。
【図９】図９は、図８に示す導光部材７７の出射端部の正面図である。
【図１０】図１０は、変形例２を示し、導光部材７７の出射端部側の斜視図である。
【図１１】図１１は、変形例５を示し、導光ユニットの正面図である。
【図１２】図１２は、変形例５を示し、導光ユニットの正面図である。
【発明を実施するための形態】
【００１３】
以下、図面を参照して本発明の実施形態について詳細に説明する。  
［第１実施形態］  
［構成］  
図１と図２と図３Ａと図３Ｂと図４と図５と図６を参照して第１の実施形態について説明する。なお、図１と図２と図３Ａと図３Ｂと図４と図５と図６では一部の部材の図示を省略している。また光源２１ａが出射する光を光源光Ａ、光源２１ｂが出射する光を光源光Ｂ、光源２１ｃが出射する光を光源光Ｃと称する。
【００１４】
［光源システム１０］  
図１に示すように、光源システム１０は、互いに異なる光学特性を有する光源光Ａ，Ｂ，Ｃを出射する光源モジュール２０ａ，２０ｂ，２０ｃと、光源モジュール２０ａ，２０ｂ，２０ｃを駆動する光源駆動ユニット５０と、光源光Ａ，Ｂ，Ｃを基とする照明光を観察対象物に照射し、光源モジュール２０ａ，２０ｂ，２０ｃが機械的に着脱自在な照射モジュール６０とを有している。
【００１５】
光源モジュールは３個配設され、照射モジュール６０は１つ配設されている。１つの照射モジュール６０は、３つの光源モジュール２０ａ，２０ｂ，２０ｃに共有されている。この点は、光源駆動ユニット５０についても同様である。３つの光源モジュール２０ａ，２０ｂ，２０ｃが照射モジュール６０に配設されることで、照射モジュール６０は目的に応じた照明光を出射する。光源モジュール２０ａ，２０ｂ，２０ｃは、それぞれ別体である。光源モジュール２０ａ，２０ｂ，２０ｃは、光源駆動ユニット５０とは別体である。
【００１６】
［光源モジュール２０ａ，２０ｂ，２０ｃ］  
以下に、光源モジュール２０ａ，２０ｂ，２０ｃそれぞれに配設されている略同一の機能を有する共通の部材について説明する。
【００１７】
図１に示すように、光源モジュール２０ａ，２０ｂ，２０ｃは、光源光Ａ，Ｂ，Ｃを出射する光源２１ａ，２１ｂ，２１ｃと、照射モジュール６０に配設されている入射端部６３ａ，６３ｂに向けて光源光Ａ，Ｂ，Ｃを出射する出射端部２３ａ，２３ｂ，２３ｃと、入射端部６３ａ，６３ｂと出射端部２３ａ，２３ｂ，２３ｃとを光結合するために入射端部６３ａ，６３ｂに出射端部２３ａ，２３ｂ，２３ｃを固定する固定部２５ａ，２５ｂ，２５ｃとを有している。
【００１８】
また図１に示すように、光源モジュール２０ａ，２０ｂ，２０ｃは、光源２１ａ，２１ｂ，２１ｃから出射された光源光Ａ，Ｂ，Ｃを出射端部２３ａ，２３ｂ，２３ｃに導光する導光部材２７ａ，２７ｂ，２７ｃと、光源モジュール２０ａ，２０ｂ，２０ｃから発生した熱を放出する放熱機構２９ａ，２９ｂ，２９ｃとをさらに有している。
【００１９】
また図１に示すように、光源モジュール２０ａ，２０ｂ，２０ｃは、光源２１ａ，２１ｂ，２１ｃを駆動させるために光源駆動ユニット５０と電気的に接続し、光源２１ａ，２１ｂ，２１ｃを発光させるための電力や制御信号を受け取るための電気端子３１ａ，３１ｂ，３１ｃをさらに有している。電気端子３１ａ，３１ｂ，３１ｃは、接続ケーブル３３ａ，３３ｂと接続している。光源２１ａ，２１ｂ，２１ｃは、接続ケーブル３３ａ，３３ｂ，３３ｂによって光源駆動ユニット５０と電気的に接続している。
【００２０】
［光源モジュール２０ａ］  
図１に示すように、光源モジュール２０ａは、光源２１ａと導光部材２７ａとの間に配設され、光源２１ａから出射された光源光Ａを導光部材２７ａに集光するレンズ３５をさらに有している。
【００２１】
光源２１ａは、光源光Ａとして例えば青色のレーザ光を出射する例えばＩｎＧａＮ系の青色の半導体レーザを有している。レーザ光は、例えば、３７０ｎｍ〜５００ｎｍの波長を有している。光源２１ａの発光点は、光源２１ｂ，２１ｃの発光点と比較して小さい。レーザ光の大部分は、レンズ３５によって導光部材２７ａに入射する。
【００２２】
導光部材２７ａは、レンズ３５と出射端部２３ａとの間に配設され、レンズ３５によって集光された光源光Ａを出射端部２３ａに導光する光ファイバである。導光部材２７ａは、後述する導光部材２７ｂ，２７ｃと比較して小さい入射領域を有している。
【００２３】
出射端部２３ａは、導光部材２７ａの端部に配設されている。出射端部２３ａは、入射端部６３ａと光学的に接続可能となっている。出射端部２３ａは、後述する出射端部２３ｂ，２３ｃと比較して小さい出射領域として形成される。
【００２４】
固定部２５ａは、出射端部２３ａを囲うように立設されており、後述する固定ユニット６１に配設されている固定部６５ａと嵌合する。固定部２５ａが固定部６５ａと嵌合することで、光源モジュール２０ａは照射モジュール６０に機械的に固定される。このように固定部２５ａと固定部６５ａとは、第１の固定機構として機能する。
【００２５】
放熱機構２９ａは、例えば光源２１ａから発生する熱を放出する。放熱機構２９ａは、例えばペルチェ素子と放熱フィンとを有している。
【００２６】
［光源モジュール２０ｂ］  
図１に示すように、光源モジュール２０ｂは、光源２１ｂと出射端部２３ｂとの間に配設され、光源２１ｂから前方に向かって出射された光源光Ｂを集光する２つのレンズ３７ａ，３７ｂと、光源２１ｂよりも後方に配設され、光源２１ｂから後方に向かって出射された光源光Ｂを前方に向かって反射するミラー３９と、２つのレンズ３７ａ，３７ｂの間に配設され、光源光Ｂから不要な成分をカットするフィルタ４１とをさらに有している。
【００２７】
後方とは光源光Ｂの進行方向に対して後側を示し、前方とは光源光Ｂの進行方向に対して前側を示す。
【００２８】
光源２１ｂは、光源光Ｂである例えばランプ光を出射する例えばＸｅランプを有している。ランプ光は、例えば白色光である。Ｘｅランプは、放電ランプの一種であり、白色光源である。光源２１ｂの発光点は光源２１ａの発光点と比較して大きく、光源光Ｂの放射角は広く、光源光Ｂの波長範囲は広い。
【００２９】
光源２１ｂ側に配設されているレンズ３７ａは、光源２１ｂから出射された光源光Ｂを略平行光に変換する。  
ミラー３９は、光源光Ｂをレンズ３７ａに集光する凹面を有している。  
フィルタ４１は、光源光Ｂから不要な紫外成分と赤外成分とをカットする。フィルタ４１は、例えばバンドパスフィルタ、またはローパスフィルタとハイパスフィルタとの組み合わせによって形成される。  
導光部材２７ｂ側に配設されているレンズ３７ｂは、フィルタ４１によって不要な成分が除去された光源光Ｂを導光部材２７ｂに集光する。
【００３０】
光源光Ｂの一部は、光源２１ｂからレンズ３７ａに向かってに出射される。光源光Ｂの他部は、光源２１ｂからミラー３９に向かってに出射される。そして光源光Ｂの他部は、ミラー３９によってレンズ３７ａに向かって反射される。そして光源光Ｂは、レンズ３７ａによって平行光に変換され、フィルタ４１によって紫外成分と赤外成分とをカットされ、レンズ３７ｂによって集光されて導光部材２７ｂに入射する。
【００３１】
導光部材２７ｂは、レンズ３７ｂと出射端部２３ｂとの間に配設され、レンズ３７ｂによって集光された光源光Ｂを出射端部２３ｂに導光する導光ロッドである。導光部材２７ｂは、導光部材２７ａと比較して大きい入射領域を有している。
【００３２】
出射端部２３ｂは、導光部材２７ｂの端部に配設されている。出射端部２３ｂは、入射端部６３ｂと光学的に接続可能となっている。出射端部２３ｂは、出射端部２３ａと比較して大きい出射領域として形成される。
【００３３】
固定部２５ｂは、出射端部２３ｂを囲うように立設されており、固定ユニット６１に配設されている固定部６５ｂと嵌合する。固定部２５ｂが固定部６５ｂと嵌合することで、光源モジュール２０ｂは照射モジュール６０に機械的に固定される。このように固定部２５ｂと固定部６５ｂとは、第２の固定機構として機能する。
【００３４】
放熱機構２９ｂは、例えば冷却ファンと放熱フィンとを有している。放熱機構２９ｂは、光源２１ｂから発生する熱と、光源光Ｂを照射されることで温度が上昇した部材の熱とを放熱する。この部材とは、例えばミラー３９などである。
【００３５】
［光源モジュール２０ｃ］  
図１に示すように、光源モジュール２０ｃは、光源２１ｃと導光部材２７ｃとの間に配設され、光を合成する合成光学系４５をさらに有している。
【００３６】
光源２１ｃは、例えば、赤色のＬＥＤ光を出射する赤色ＬＥＤと、緑色のＬＥＤ光を出射する緑色ＬＥＤと、青色のＬＥＤ光を出射する青色ＬＥＤとを有している。赤色ＬＥＤと緑色ＬＥＤと青色ＬＥＤとが出射するＬＥＤ光において、これらの光量が調整されることで、様々な色を有するＬＥＤ光が生成される。例えばこれらの光量を適切な割合に、これらＬＥＤ光が合成光学系４５によって合成すると、光源光Ｃである白色光（ＬＥＤ光）が生成される。赤色ＬＥＤと緑色ＬＥＤと青色ＬＥＤとは、図示しない同一の基板に搭載されている。この基板は、例えば熱伝導率が高い例えばアルミニウム基板と窒化アルミニウム基板との少なくとも一方によって形成されている。光源２１ｃの発光点は光源２１ａの発光点と比較して大きく、光源光Ｃの放射角は広く、光源光Ｃの波長範囲は広い。
【００３７】
合成光学系４５は、例えばダイクロイックミラーを有している。合成光学系４５は、赤色のＬＥＤ光と緑色のＬＥＤ光と青色のＬＥＤ光とを合成して光源光Ｃを生成する。合成光学系４５は、光源光Ｃを導光部材２７ｃに集光する。
【００３８】
導光部材２７ｃは、合成光学系４５と出射端部２３ｃとの間に配設され、合成光学系４５によって集光された光源光を出射端部２３ｃに導光する導光ロッドである。導光部材２７ｃは、導光部材２７ａと比較して大きい入射領域を有している。
【００３９】
出射端部２３ｃは、導光部材２７ｃの端部に配設されている。出射端部２３ｃは、入射端部６３ｂと光学的に接続可能となっている。出射端部２３ｃは、出射端部２３ａと比較して大きい出射領域として形成される。
【００４０】
固定部２５ｃは、出射端部２３ｃを囲うように立設されており、固定ユニット６１に配設されている固定部６５ｂと嵌合する。固定部２５ｃが固定部６５ｂと嵌合することで、光源モジュール２０ｃは照射モジュール６０に機械的に接続される。このように固定部２５ｃと固定部６５ｂとは、第２の固定機構として機能する。
【００４１】
放熱機構２９ｃは、放熱機構２９ｂと略同様の構成を有している。このため、放熱機構２９ｃは、例えば冷却ファンと放熱フィンとを有している。放熱機構２９ｃは、光源２１ｃから発生する熱と、光源光Ｃを照射されることで温度が上昇した部材の熱とを放熱する。この部材とは、例えば合成光学系４５などである。放熱機構２９ｃは、図示しない基板の裏面に配設されている。
【００４２】
なお光源モジュール２０ｃは、レンズ３７ａ，３７ｂやフィルタ４１などを有していてもよい。  
また、光源モジュール２０ｃの基本的な構成は、光源モジュール２０ｂの基本的な構成と略同一のため、以下においては、光源モジュール２０ｂをもちいて構成と動作とについて説明する。
【００４３】
［光源駆動ユニット５０］  
図１に示すように、本実施形態における光源システム１０は１つの光源駆動ユニット５０を有しており、前記したように光源駆動ユニット５０は光源モジュール２０ａ，２０ｂ，２０ｃによって共有されている。
【００４４】
光源駆動ユニット５０は、光源モジュール２０ａと、光源モジュール２０ｂまたは光源モジュール２０ｃとに電力を供給する。また光源駆動ユニット５０は、光源２１ａの発光状態と、光源２１ｂの発光状態または光源２１ｃの発光状態とを制御する。
【００４５】
光源駆動ユニット５０は、光源駆動ユニット５０と接続している光源モジュール２０ａ，２０ｂ，２０ｃの種類を判別する機能を有している。すなわち、接続ケーブル３３ａ，３３ｂは、光源モジュール２０ａ，２０ｂ，２０ｃに電力を供給するための電力配線と、光源モジュール２０ａ，２０ｂ，２０ｃの駆動状態を制御するための制御信号配線と、接続ケーブル３３ａ，３３ｂが接続した光源モジュール２０ａ，２０ｂ，２０ｃの種類を判別するための判別信号配線とを有している。光源駆動ユニット５０は、判別信号配線を介して受信する判別信号を基に、接続ケーブル３３ａ，３３ｂを介して接続している光源モジュール２０ａ，２０ｂ，２０ｃの種類を判別する。例えば、光源駆動ユニット５０が接続ケーブル３３ａを介して光源モジュール２０ａと接続した場合、光源駆動ユニット５０は判別信号配線を介して判別信号を検出する。そして光源駆動ユニット５０は、光源モジュール２０ａに配設されている光源２１ａに応じた電力と制御信号とを、電力配線と制御信号配線とを介して光源モジュール２０ａに供給する。
【００４６】
光源モジュール２０ａ，２０ｂ，２０ｃの判別方法としては、例えば、光源モジュール２０ａ，２０ｂ，２０ｃは、光源モジュール２０ａ，２０ｂ，２０ｃの種類情報や駆動情報を記録する図示しない記録部を有している。光源駆動ユニット５０は、接続ケーブル３３ａ，３３ｂを介してこれら情報を読み出すことによって光源モジュール２０ａ，２０ｂ，２０ｃを判別する。
【００４７】
また、他の判別方法としては、電気端子３１ａは電気端子３１ｂ，３１ｃとは異なる特有の形状を有しており、接続ケーブル３３ａは電気端子３１ａと接続した際にこの形状を検出する検出部を有している。電気端子３１ｂ，３１ｃと接続ケーブル３３ｂについても同様である。光源駆動ユニット５０は、この検出結果を基に、光源モジュール２０ａ，２０ｂ，２０ｃの種類を判別する。
【００４８】
また、さらに他の判別方法としては、光源モジュール２０ａ，２０ｂ，２０ｃが接続ケーブル３３ａ，３３ｂを介して光源駆動ユニット５０と接続した際、光源モジュール２０ａ，２０ｂ，２０ｃは、光源モジュール２０ａ，２０ｂ，２０ｃを示す電気信号パターンを、判別信号配線を介して光源駆動ユニット５０に出力する。光源駆動ユニット５０は、この電気信号パターンを基に、光源モジュール２０ａ，２０ｂ，２０ｃを判別する。
【００４９】
このとき光源駆動ユニット５０は、光源モジュール２０ａ，２０ｂ，２０ｃの種類のみではなく、光源モジュール２０ａ，２０ｂ，２０ｃが接続する照射モジュール６０の種類に応じて、光源モジュール２０ａ，２０ｂ，２０ｃの設定を所望に調整することが好適である。このためには、照射モジュール６０は、照射モジュール６０の種類の情報を光源駆動ユニット５０に送信する必要がある。よって照射モジュール６０は、照射モジュール６０の情報を、光源モジュール２０ａ，２０ｂ，２０ｃと接続ケーブル３３ａ，３３ｂとを介して光源駆動ユニット５０に送信してもかまわないし、光源駆動ユニット５０が固定ユニット６１と直接接続することで光源駆動ユニット５０に送信してもよい。
【００５０】
［照射モジュール６０］  
図１に示すように、照射モジュール６０は、光源モジュール２０ａと、光源モジュール２０ｂまたは光源モジュール２０ｃと光学的及び機械的に固定する固定ユニット６１と、固定ユニット６１と接続し、光源光Ａ，Ｂ，Ｃを導光する導光ユニット７１と、導光ユニット７１の端部に配設され、導光ユニット７１によって導光された光源光Ａ，Ｂ，Ｃを照明光に変換して出射する、または光源光Ｂ，Ｃを照明光として直接外部に出射する光変換ユニット１０１とを有している。
【００５１】
［固定ユニット６１］  
図１に示すように、固定ユニット６１は、略直方体形状を有している。固定ユニット６１は、第１の平面に配設されている入射端部６３ａと固定部６５ａと、第１の平面に対して直交している第２の平面に配設されている入射端部６３ｂと固定部６５ｂと、第１の平面に対向し、第２の平面に対して直交し、導光ユニット７１が接続する第３の面とを有している。
【００５２】
入射端部６３ａには、出射端部２３ａから出射された光源光Ａ（青色のレーザ光）が入射する。入射端部６３ａは、後述する入射端部６３ｂと比較して小さい入射領域として形成されている。入射端部６３ａは、出射端部２３ａと同軸上に配設されている。
【００５３】
固定部６５ａは、入射端部６３ａを囲うように立設されており、固定部２５ａと嵌合する。固定部６５ａは、固定部２５ｂ，２５ｃとは嵌合不能である。
【００５４】
入射端部６３ｂには、出射端部２３ｂから出射された光源光Ｂ（ランプ光）、または出射端部２３ｃから出射された光源光Ｃ（ＬＥＤ光）が入射する。入射端部６３ｂは、入射端部６３ａと比較して大きい入射領域として形成されている。入射端部６３ｂは、出射端部２３ｂまたは出射端部２３ｃと同軸上に配設されている。
【００５５】
固定部６５ｂは、入射端部６３ｂを囲うように立設されており、固定部２５ｂまたは固定部２５ｃと嵌合する。固定部６５ｂは、固定部２５ａとは嵌合不能である。
【００５６】
固定ユニット６１は、導光ユニット７１に配設されている後述する導光部材７３が嵌合または接着する孔６７ａと、導光ユニット７１に配設されている導光部材７７が嵌合または接着する孔６７ｂとを有している。孔６７ａ，６７ｂは、固定ユニット６１の内部に配設されている。
【００５７】
孔６７ｂは、第２の平面から第３の平面に向かって屈曲して配設されている。孔６７ｂは、第２の平面と第３の平面とにおいて外部と連通している。孔６７ｂは、孔６７ａよりも太い。孔６７ａは、第１の平面から第３の平面に向かって直線状に配設されている。孔６７ａは、第１の平面において外部と連通しており、第３の平面側において孔６７ｂと連通している。
【００５８】
［導光ユニット７１］  
図１に示すように導光ユニット７１は、入射端部６３ａから入射した光源光Ａ（レーザ光）を導光する導光部材７３（第１の導光部材）と、入射端部６３ｂから入射した光源光Ｂ，Ｃ（ランプ光またはＬＥＤ光）を導光する導光部材７７（第２の導光部材）と、導光部材７７を覆う樹脂製の外皮９１とを有している。導光部材７３は、入射端部６３ａから入射した光源光Ａの光学特性に応じた光学特性を有している。導光部材７７は、入射端部６３ｂから入射した光源光Ｂ，Ｃの光学特性に応じた光学特性を有している。導光部材７７の光学特性は、導光部材７３の光学特性とは異なる。
【００５９】
［導光部材７３］  
図１と図２とに示すように、導光部材７３は、光源光Ａを導光することに好適な単線の光ファイバによって形成されている。導光部材７３は、導光部材７３の近傍において、図示しないフェルールによって保持されている。導光部材７３は、円形状を有するコア７３ａと、コア７３ａの屈折率よりも低い屈折率を有し、コア７３ａを覆うクラッド７３ｂとによって形成されている。コア７３ａの直径は、例えば数μｍ〜２００μｍとなっている。照明用として、導光部材７３は、マルチモード光ファイバが好適である。導光部材７３は、円柱形状を有している。
【００６０】
図１と図４と図５とに示すように、導光部材７３の一端部を示すコア７３ａの一端部は、光源光Ａが入射する入射端部６３ａとして機能する。また図１と図４と図５とに示すように、導光部材７３の他端部を示すコア７３ａの他端部は、光源光Ａを出射する出射端部７５として機能する。このように導光部材７３は、光源光Ａを出射する第１の出射端部である出射端部７５（他端部）を有することとなる。出射端部７５は、後述する出射端部７９と比較して小さい出射領域として形成されている。
【００６１】
図１と図４と図５とに示すように、導光部材７３（入射端部６３ａ）は、導光部材２７ａ（出射端部２３ａ）と同軸である。導光部材７３は、固定ユニット６１において直線状に配設されている。導光部材７３の一端部は、固定部６５ａによって保持されている。導光部材７３は、固定ユニット６１において孔６７ａに嵌合または接着している。
【００６２】
また図１と図４と図５とに示すように、導光部材７３は、固定ユニット６１から延出され、固定ユニット６１から光変換ユニット１０１まで直線状に配設されている。固定ユニット６１から光変換ユニット１０１までに配設されている導光部材７３は、詳細については後述するが導光部材７７によって覆われて保護されている。導光部材７３の他端部（出射端部７５）は、光変換ユニット１０１に配設される第１の光変換ユニット１０３と光学的に接続している。
【００６３】
［導光部材７７］  
図３Ａに示すように、導光部材７７は、複数の光ファイバの素線が束ねられることによって形成されているバンドルファイバを有している。このような導光部材７７は、例えばライトガイドである。この光ファイバの本数は、例えば、数百本〜数千本となっている。図１と図４と図５とに示すように、導光部材７７は、導光部材７３よりも太い。
【００６４】
図１と図４と図５とに示すように、導光部材７７の一端部は、光源光Ｂまたは光源光Ｃが入射する入射端部６３ｂとして機能する。また導光部材７７の他端部は、光源光Ｂまたは光源光Ｃを出射する出射端部７９として機能する。このように導光部材７７は、光源光Ｂまたは光源光Ｃを出射する第２の出射端部である出射端部７９（他端部）を有することとなる。出射端部７９は、出射端部７５と比較して大きい出射領域として形成されている。
【００６５】
図４と図５とに示すように、導光部材７７の一端部において、光ファイバは束ねられた状態で円筒形状のケース８１の内部に配設されている。この点は、他端部も同様である。また一端部において、光ファイバは、例えば接着剤によって互いに固定された状態で、ケース８１の内周面に固定されている。この点は、他端部も同様である。つまり、導光部材７７の両端は固定端として形成され、一端部と他端部との間は接着されておらず、互いに自由に移動できるように形成されている。ケース８１は、例えば金属によって形成されている。
【００６６】
なお図１に示すように、入射端部６３ｂが第１の平面と第３の平面とに対して直交している第２の平面に配設されるために、導光部材７７の一端部は固定ユニット６１の内部において屈曲している。屈曲している導光部材７７の一端部は、ケース８１と共に固定部６５ｂによって保持されている。導光部材７７は、この状態で、固定ユニット６１において孔６７ｂに嵌合または接着している。導光部材７７の一端部（入射端部６３ｂ）は、導光部材２７ｂ（出射端部２３ｂ）または導光部材２７ｃ（出射端部２３ｃ）と同軸である。
【００６７】
また図１に示すように、導光部材７７は、固定ユニット６１から延出され、固定ユニット６１から光変換ユニット１０１まで直線状に配設されている。固定ユニット６１から光変換ユニット１０１までに配設されている導光部材７７は、外皮９１によって覆われ保護されている。図４と図５とに示すように、導光部材７７の他端部（出射端部７９）は、第１の光変換ユニット１０３とは光学的に分離し、光変換ユニット１０１に配設されている第２の光変換ユニット１１１と光学的に接続している。
【００６８】
図３Ａに示すように、導光部材７７の一端部（入射端部６３ｂ）は、光ファイバが全体に渡って配設されており、円形状を有している。この一端部は、コア７３ａよりも大きい。この一端部の直径は、光源光Ｂ，Ｃを効率よく受光し、孔６７ｂへの一端部の挿入性と、照明ユニットの他の部材への挿入性及び配設性とを考慮して、数百μｍ〜３ｍｍとなっている。
【００６９】
図３Ｂと図４と図５とに示すように、導光部材７７の他端部（出射端部７９）は、光ファイバが縁側に配設されており、リング形状を有している。よって他端部において、円形状の開口端部８３を有している。開口端部８３は、導光部材７７の中心軸上に配設されている。開口端部８３は、導光部材７７において、出射端部７９から屈曲している導光部材７７の根元まで、直線状に連続して配設されている。よって図１と図５とに示すように導光部材７７は、円柱形状の空洞部８５を内部に有し、結果的に円筒形状を有することとなる。空洞部８５は、開口端部８３によって他端部において外部と連通している。また空洞部８５が固定ユニット６１において孔６７ａと連通するために、側面開口部８７が導光部材７７の屈曲部分の根元に形成されている。側面開口部８７は、孔６７ｂの内部に位置する。このような空洞部８５には、導光部材７３が空洞部８５の中心軸上に配設される。空洞部８５の直径は、導光部材７３の直径よりも大きい。このように、導光部材７３が導光部材７７の内部に配設されるための空洞部８５が導光部材７７の内部に形成されるように、光ファイバの素線は束ねられている。そして導光部材７３は導光部材７７の内部に配設されて導光部材７７に囲まれ、導光部材７７は導光部材７３を覆い、導光部材７３を保持及び保護する。導光部材７３と導光部材７７とは、導光ユニット７１において同軸上に配設される。
【００７０】
なお出射端部７９は、他端部から開口端部８３を除いた領域を示し、リング形状を有している。
【００７１】
[導光部材７３，７７の組立手順１]  
導光部材７３の他端部（出射端部７５）は、第１の光変換ユニット１０３のスペクトル変換部材１０５と予め接続する。導光部材７７は、空洞部８５が形成されるように、複数の光ファイバ（素線）が束ねられることによって予め形成されている。これにより、導光部材７７は、円筒形状を有する。
【００７２】
次に、導光部材７３は、開口端部８３から空洞部８５に挿入される。  
次に、導光部材７７の一端部が屈曲して側面開口部８７が形成され、導光部材７３の一端部が側面開口部８７から突出し、導光部材７３の一端部が孔６７ａと嵌合または接着し固定部６５ａによって保持され、導光部材７７の一端部が孔６７ｂと嵌合または接着し固定部６５ｂによって保持されるように、導光部材７３，７７は固定ユニット６１と接続する。
【００７３】
［導光部材７３の光学特性と導光部材７７の光学特性との関係］  
導光部材７３は、光源光Ａ（青色レーザ光）を導光するため、青色のレーザ光の波長域３７０ｎｍ〜５００ｎｍの光透過率を有している。導光部材７３の開口数ＮＡは、導光部材７７の開口数ＮＡと比較して、大きくなくても良い。
【００７４】
導光部材７７が光源光Ｂ，Ｃ（ランプ光，ＬＥＤ光）を導光するため、導光部材７７の開口数ＮＡは、導光部材７３の開口数ＮＡと比較して大きいものを選択している。また導光部材７７は、光源光Ｂ，Ｃを導光するため、可視光から近赤外域の光に対して、比較的平坦な波長透過特性を有していることが好適である。また導光部材７７は、視感度の比較的低い光源光Ｃ（青色領域の光）に対して、他の波長域の光を越えるような、高い透過率を有する必要は小さい。
【００７５】
導光部材７３の光学特性と導光部材７７の光学特性とを比較すると、  
Ａ：導光部材７７の有効な入射領域（入射端部６３ｂ）は、導光部材７３の有効な入射領域（入射端部６３ａ）よりも大きいことが好適である。  
Ｂ：導光部材７７の開口数は、導光部材７３の開口数よりも大きいことが好適である。
Ｃ：青色領域の光に対して、導光部材７３の透過率は、導光部材７７の透過率よりも大きいことが好適である。
【００７６】
なお本実施形態では、光源２１ａが青色のレーザ光を出射するために、Ｃでは「青色領域の光」と規定されている。よって光源２１ａが所望の色のレーザ光を出射する場合、「所望する色の領域」、言い換えると、「導光部材７３が導光する光源光Ａのピーク波長」と規定される。
【００７７】
つまり、導光部材７３が導光する光源光Ａのピーク波長に対して、導光部材７３の透過率は、導光部材７７の透過率よりも大きいことが好適である。
【００７８】
［光変換ユニット１０１］  
光変換ユニット１０１は、光源光Ａ，Ｂ，Ｃを基に照明光を出射する。この光変換ユニット１０１は、第１の光変換ユニット１０３と、第２の光変換ユニット１１１とを有している。
【００７９】
［第１の光変換ユニット１０３］  
図１と図５とに示すように、第１の光変換ユニット１０３は、導光部材７３によって導光された光源光Ａが第１の光変換ユニット１０３に入射するように、導光部材７３の他端部（出射端部７５）と光学的に接続している。また第１の光変換ユニット１０３は、導光部材７７によって導光された光源光Ｂ，Ｃ（ランプ光，ＬＥＤ光）が第１の光変換ユニット１０３に入射しないように、導光部材７７とは光学的に分離している。
【００８０】
光源２１ｂから出射される光源光Ｂ（ランプ光）は、光源光Ａ（青色のレーザ光）と同様の波長成分を有している。つまり光源光Ｂは、第１の光変換ユニット１０３の後述するスペクトル変換部材１０５によって吸収され、スペクトル変換部材１０５によって黄色蛍光に変換される青色成分を有している。このため、第１の光変換ユニット１０３が導光部材７７と光学的に接続していると、光源光Ｂのみが第１の光変換ユニット１０３を照射した場合であっても、黄色蛍光が含まれた照明光が照射されてしまう。これを避けるために、第１の光変換ユニット１０３は、導光部材７７に対して光学的に独立している。
【００８１】
図４と図５とに示すように、このような第１の光変換ユニット１０３は、円柱形状を有し、光源光Ａを第１の変換光に変換する第１の光変換部材であるスペクトル変換部材１０５と、スペクトル変換部材１０５を保持する保持部材１０７と、スペクトル変換部材１０５に配設され、第１の変換光を出射する第３の出射端部である出射端部１０９とを有している。
【００８２】
第１の光変換ユニット１０３は、導光部材７３によって導光された光源光Ａの光学特性を変換して、光源光Ａを第１の変換光として出射する。具体的には、スペクトル変換部材１０５は、光源２１ａである青色半導体レーザから出射され、導光部材７３によって導光された青色のレーザ光の一部を吸収して、黄色蛍光に変換して出射する。またスペクトル変換部材１０５は、青色のレーザ光の他部を散乱光に変換して出射する。このときスペクトル変換部材１０５は、青色レーザ光の光学特性に含まれるピーク波長とスペクトル形状と放射角と配光と光量との少なくとも１つを所望に変換する。
【００８３】
スペクトル変換部材１０５がピーク波長とスペクトル形状と放射角と配光と光量とを変換する波長変換部材である場合、スペクトル変換部材１０５は、例えば、ＹＡＧ：Ｃｅ蛍光体の粉末が樹脂やガラスに分散されることで形成される。  
またスペクトル変換部材１０５は、放射角を変換する放射角変換部材や配光を変換する配光変換部材であってもよい。
【００８４】
黄色蛍光と散乱光とが混合することで生成される光を混合光とする。スペクトル変換部材１０５の厚みと形状と、蛍光体粉末の粒径、濃度により、黄色蛍光の光量と散乱光の光量との比を調整することができる。そして、黄色蛍光の光量と散乱光の光量との比により、混合光の色を調整することができる。本実施形態では、混合光が白色光となるように、黄色蛍光の光量と散乱光の光量との比は、スペクトル変換部材１０５の厚みと形状と、蛍光体粉末の粒径、濃度によって、調整されている。
【００８５】
保持部材１０７は、円柱形状を有している。保持部材１０７の断面は凹形状を有しており、スペクトル変換部材１０５は保持部材１０７の凹部に配設される。保持部材１０７は、保持部材１０７の底面に凹部と連通する開口部１０７ａを有している。
【００８６】
保持部材１０７は、光源光Ａが開口部１０７ａを通過しスペクトル変換部材１０５に入射し、導光部材７３の他端部（出射端部７５）がスペクトル変換部材１０５と光学的に接続するように、図示しない取付部材によって、導光部材７３の他端部に取り付けられている。なお保持部材１０７は、接着と機械的なはめ込み機構との少なくとも一方によって、導光部材７３の他端部に取り付けられている。保持部材１０７の外周面は、導光部材７７の内周面と接着している。
【００８７】
出射端部１０９は、円形状を有している。
【００８８】
［第２の光変換ユニット１１１］  
図１と図５とに示すように、第２の光変換ユニット１１１は、導光部材７７の出射端部７９から出射された光源光Ｂ，Ｃ（ランプ光，ＬＥＤ光）が第２の光変換ユニット１１１に入射するように、導光部材７７の他端部（出射端部７９）と光学的に接続している。この第２の光変換ユニット１１１は、第２の光変換ユニット１１１に入射する光源光Ｂ，Ｃの放射（照射）角を所望に変換する放射角変換部材を有している。放射角変換部材は、放射角を拡げる配光変換部材の一種である。放射角変換部材は、放射角や配光を所望に変換する例えば、１枚の凹レンズ、または複数のレンズが組み合わさることで形成されるレンズ群を有している。第２の光変換ユニット１１１は、放射角変換部材によって、光源光Ｂ，Ｃのピーク波長とスペクトル形状とをほとんど変化させずに、光源光Ｂ，Ｃの放射角のみを変換する。このとき放射角変換部材は、光源光Ｂの光学特性である放射角を変換して、光源光Ｂ，Ｃを第２の変換光である照明光に変換する。
【００８９】
また第２の光変換ユニット１１１は、第１の光変換ユニット１０３の出射端部１０９から出射された第１の変換光が第２の光変換ユニット１１１に入射するように、第１の光変換ユニット１０３の出射端部１０９と光学的に接続している。第２の光変換ユニット１１１は、前記第１の変換光の前記光学特性に含まれるピーク波長とスペクトル形状と放射角と配光と光量との少なくとも１つとを変換し、前記第１の変換光を第２の変換光に変換する。
【００９０】
なお第２の光変換ユニット１１１は、第１の変換光の光学特性と光源光Ｂ，Ｃの光学特性とに含まれるピーク波長とスペクトル形状と放射角と光量との少なくとも１つとを変換し、光源光Ｂ，Ｃと第１の変換光との少なくとも一方を第２の変換光に変換すればよい。そして、第２の光変換ユニット１１１は、第２の変換光を照明光として出射する。
【００９１】
［導光部材７３と導光部材７７と第１の光変換ユニット１０３との配置の関係１］  
図５と図６とに示すように、導光部材７３の他端部（出射端部７５）の直径は、スペクトル変換部材１０５の直径よりも小さい。導光部材７３の他端部は、前記したように空洞部８５（開口端部８３）に配設され、導光部材７７の他端部（出射端部７９）に囲まれている。よって、第１の光変換ユニット１０３も、空洞部８５（開口端部８３）に配設され、導光部材７７の他端部に囲まれる。
【００９２】
導光部材７３の他端部（出射端部７５）と導光部材７７の他端部（出射端部７９）と第１の光変換ユニット１０３とは、共通の保持部材であるケース８１と保持部材１０７とによって直接的または間接的にまとめて保持されており、ケース８１と保持部材１０７とに固定されている。ケース８１と保持部材１０７とは、導光部材７３の他端部（出射端部７５）と導光部材７７の他端部（出射端部７９）と第１の光変換ユニット１０３とがばらけることを、防止する。
【００９３】
また導光部材７３と導光部材７７とは、導光部材７３の他端部と導光部材７７の他端部とにおいて互いに固定されている。固定された部分よりも入射端部６３ａ，６３ｂ側において、導光部材７３の一端部側と導光部材７７の一端部側との少なくとも一部は、自由端であり、互いに空間的（３次元的）に移動可能となっている。
【００９４】
導光部材７７の他端部は、第１の光変換ユニット１０３が導光部材７７から出射された光源光Ｂ，Ｃを遮光することを防止し、導光部材７７が第１の光変換ユニット１０３から出射された第１の変換光を遮光することを防止し、光源光Ｂ，Ｃと１次変換光との利用効率を高めるために、スペクトル変換部材１０５の出射端部１０９と同一平面上、または出射端部１０９よりも光源モジュール２０ａから離れて配設されている。
【００９５】
本実施形態では、以下の内容が成立するように構成されている。  
導光部材７３の中心軸は、コア７３ａの中心軸を示し、第１の中心軸とする。  
導光部材７７の中心軸は、ケース８１の中心軸を示し、第２の中心軸とする。  
図５に示すように、第１の中心軸は、少なくとも導光部材７３の第１の光変換ユニット１０３が配設された側の近傍において、第２の中心軸に対して平行に配設されている。より詳細には、第１の中心軸と第２の中心軸とは、開口端部８３から側面開口部８７まで同軸上に配設されている。
【００９６】
図５と図６とに示すように、出射端部７５と出射端部１０９とは円形状を有し、出射端部７９はリング形状を有し、出射端部７５，７９，１０９は、同心円状に配置されている。また出射端部７９の外縁は、円形状を有している。スペクトル変換部材１０５は、円柱形状を有している。
【００９７】
出射端部７５，７９，１０９が導光部材７３の中心軸に対して直交する平面に投影された際、この平面に形成される出射端部７５の投影図の外縁は、この平面に形成される出射端部１０９の投影図の外縁により囲まれている。また出射端部１０９の投影図の外縁は、この平面に形成される出射端部７９の投影図の外縁により囲まれている。つまり、中心から外側に向かって、出射端部７５、出射端部１０９、出射端部７９の順に配設されている。
【００９８】
[動作方法]   
以下に、本実施形態の動作方法について説明する。
[光源モジュール２０ａと照射モジュール６０とが組み合わされた際の動作方法]  
光源モジュール２０ａは、第１の平面において固定ユニット６１と接続し、接続ケーブル３３ａを介して光源駆動ユニット５０と接続する。光源駆動ユニット５０は制御信号を接続ケーブル３３ａを介して光源モジュール２０ａに送信し、光源２１ａは制御信号を基に青色のレーザ光を出射する。
【００９９】
レーザ光は、レンズ３５によって導光部材２７ａに集光され、導光部材２７ａに入射し、導光部材２７ａによって出射端部２３ａにまで導光され、出射端部２３ａから入射端部６３ａに向けて出射される。レーザ光は、入射端部６３ａから導光部材７３に入射し、導光部材７３によって出射端部７５にまで導光され、出射端部７５から第１の光変換ユニット１０３に向けて出射される。
【０１００】
レーザ光は、第１の光変換ユニット１０３においてスペクトル変換部材１０５を照射する。レーザ光の一部は、スペクトル変換部材１０５に吸収され、スペクトル変換部材１０５によって黄色蛍光に変換される。またレーザ光の他部は、スペクトル変換部材１０５によって青色の散乱光に変換される。黄色蛍光と散乱光とは、スペクトル変換部材１０５から第２の光変換ユニット１１１に向けて出射される。このとき、黄色蛍光と散乱光とは、混合して、白色光として出射される。
【０１０１】
白色光は、白色光の放射角が第２の光変換ユニット１１１における放射角変換部材によりその放射角が拡げられ、照明光として照明対象物を照射する。
【０１０２】
半導体レーザを有する光源２１ａは、Ｘｅランプを有する光源２１ｂとＬＥＤを有する光源２１ｃとに比べて、小型化、省電力化が可能である。よって、光源モジュール２０ａと照射モジュール６０とが組み合わされると、光源システム１０は小型となり且つ照明光を省電力で照射することが可能となる。またレーザ光は、ランプ光やＬＥＤ光よりも導光部材７３に効率的に入射することができる。従って、小さな電力でも、明るい光を導光部材７３の出射端部７５まで導光でき、第２の光変換ユニット１１１により明るい照明光を効率的に発生させることができる。これにより、光源モジュール２０ａと照射モジュール６０との組み合わせは、光源システム１０を小型化したい場合や、光源システム１０の電力が制限されている場合や、効率よい明るい白色光が必要な場合に、有効である。
【０１０３】
[光源モジュール２０ｂと照射モジュール６０とが組み合わされる際の動作方法]  
光源モジュール２０ｂは、第２の平面において固定ユニット６１と接続し、接続ケーブル３３ｂを介して光源駆動ユニット５０と接続する。光源駆動ユニット５０は接続ケーブル３３ｂを介して制御信号を光源モジュール２０ｂに送信し、光源２１ｂは制御信号を基にランプ光を出射する。
【０１０４】
ランプ光は、導光部材２７ｂに入射し、導光部材２７ｂによって出射端部２３ｂにまで導光され、出射端部２３ｂから入射端部６３ｂに向けて出射される。ランプ光は、入射端部６３ｂから導光部材７７に入射し、導光部材７７によって出射端部７９にまで導光され、出射端部７９から第２の光変換ユニット１１１に向けて出射される。
【０１０５】
ランプ光は、第２の光変換ユニット１１１において放射角変換部材を照射する。ランプ光は、ランプ光の放射角が第２の光変換ユニット１１１における放射角変換部材によって拡がった状態で、照明光として照明対象物を照射する。
【０１０６】
Ｘｅランプから出射されるランプ光は、太陽光に比較的近いスペクトルを有する白色光である。これにより、光源モジュール２０ｂと照射モジュール６０との組み合わせは、照明対象物に太陽光に近似した光を照射する場合に、有効である。
【０１０７】
[光源モジュール２０ｃと照射モジュール６０とが組み合わされる際の動作方法]  
光源モジュール２０ｃは、光源モジュール２０ｂの代わりに、第２の平面において固定ユニット６１と接続し、接続ケーブル３３ｂを介して光源駆動ユニット５０と接続する。光源駆動ユニット５０は接続ケーブル３３ｂを介して制御信号を光源モジュール２０ｃに送信し、光源２１ｃは制御信号を基にＬＥＤ光を出射する。
【０１０８】
この後のＬＥＤ光の動作は、ランプ光の動作と略同一である。
光源モジュール２０ｃは、様々な色を有するＬＥＤ光を出射することとなる。また光源モジュール２０ｃは、合成光学系４５によって様々な色のＬＥＤ光を合成して出射することとなる。これにより光源モジュール２０ｃと照射モジュール６０との組み合わせは、照明光の色に対する要求を満たす場合に、有効である。
【０１０９】
ＬＥＤを有する光源２１ｃは、Ｘｅランプを有する光源２１ｂに比べて、小型化、省電力化が可能である。よって、光源モジュール２０ｃと照射モジュール６０とが組み合わされると、光源システム１０は小型となり且つ照明光を省電力で照射することとなる。これにより、光源モジュール２０ｃと照射モジュール６０との組み合わせは、光源システム１０を小型化したい場合や、光源システム１０の電力が制限されている場合に、有効である。
【０１１０】
また、ＬＥＤを有する光源２１ｃは、Ｘｅランプを有する光源２１ｂに比べて、瞬時に点灯，消灯でき、明るさを高速変調することもできる。これにより、光源モジュールｃ２０ｃと照射モジュール６０との組み合わせは、光源システム１０を、ウォームアップを行わず、直ぐに使用を開始したり停止する用途に適している。さらにこの組み合わせは、明るさを高速で変調させて使用したり、点滅させて使用する用途に適している。
さらに、ＬＥＤはＸｅランプとくらべて長寿命であり、突然切れることがないため、長期にわたり安定且つメンテナンスフリーで使用することができる。
【０１１１】
[効果]  
このように本実施形態では、導光部材７３，７７を有する照射モジュール６０は、光変換ユニット１０１を有し、光源モジュール２０ａ，２０ｂ，２０ｃと組み合わさる。本実施形態では、光変換ユニット１０１において、光源光Ａの光学特性を、第１の光変換ユニット１０３によって、光源光Ｂ，Ｃの光学特性と揃うように変換（調整）できる。  
また、第１の光変換ユニット１０３は、導光部材７３と光学的に接続し、導光部材７７と光学的に分離しており、導光部材７７に対して光学的に独立している。これにより本実施形態では、光源光Ｂ，Ｃの光学特性が第１の光変換ユニット１０３によって変換することを防止できる。
【０１１２】
よって本実施形態では、光学特性が揃うように調整でき、光源システム１０は、様々な目的に対して共有でき、目的に応じた個別の専用システムを構築することなく対応できる。これにより光源システム１０は安価となり、光源システム１０のコストパフォーマンスが向上する。  
つまり、本実施形態では、照射モジュール６０を光源モジュール２０ａ，２０ｂ，２０ｃで共有でき、１つの照射モジュール６０から目的に応じた様々な照明光を出射できる。よって本実施形態では、様々な目的に対して共有できる光源システム１０を提供できる。また本実施形態では、様々な目的に対して、目的に応じた個別の専用システムを構築することなく対応できる光源システム１０を提供できる。
なお、ここで示す光源光の光学特性とは、例えば、光源光の配光、色、明るさなどを示す。また、ここで示す、光源光Ａの光学特性を、光源光Ｂ，Ｃの光学特性と揃うように変換（調整）できるとは、例えば、観察者が違和感を抱きにくいように、光源光Ａの光学特性の一部または全部を変換（調整）することが可能であることを示す。
【０１１３】
また本実施形態では、出射端部７５出射端部７９と第１の光変換ユニット１０３とは、共通の保持部材であるケース８１と保持部材１０７とによって直接的または間接的にまとめて保持されている。つまり出射端部７５出射端部７９と第１の光変換ユニット１０３とは、導光ユニット７１の先端部という同じ部分に固定されている。これにより本実施形態では、光源光Ａ，Ｂ，Ｃを同じ位置から確実に出射でき、光源光Ａ，Ｂ，Ｃが用いられてもユーザは違和感無く観察できる。また本実施形態では、光源光Ａ，Ｂ，Ｃが交互に点灯する場合、影のでき方などの違いを抑えることができる。
【０１１４】
本実施形態では、例えば光源モジュール２０ａと照射モジュール６０とが組み合わさると、光源システム１０を小型化でき、光源システム１０の電力の制限に対して有効にでき、効率よい明るい白色光を実現できる。
【０１１５】
本実施形態では、例えば光源モジュール２０ａと照射モジュール６０との組み合わせにおいて、第１の光変換ユニット１０３の動作は、レーザ光の波長に応じて異なる。  
例えば第１の光変換ユニット１０３において、前記したＹＡＧ：Ｃｅ蛍光体粉末を有するスペクトル変換部材１０５は、青色のレーザ光を吸収し黄色蛍光に変換する。このときスペクトル変換部材１０５は、青紫色のレーザ光や、緑色より長波長のレーザ光を吸収せず、変換しない。  
ただし、本実施形態のスペクトル変換部材１０５は、レーザ光の波長に関わらず、レーザ光の放射角を拡大するように変換する放射角変換部材として機能する。よって、スペクトル変換部材１０５は、青色のレーザ光を波長変換し、照明光の放射角を変換した状態で白色の照明光を出射する。またスペクトル変換部材１０５は、青紫色のレーザ光や、緑色より長波長のレーザ光を、放射角を変換した状態で出射する。  
このように本実施形態では、導光部材７３が単線の光ファイバによって形成されていても、レーザ光の波長と第１の光変換ユニット１０３とが組み合わさることで、複数の照明光を出射できる。
【０１１６】
また本実施形態では、例えば光源モジュール２０ｂと照射モジュール６０とが組み合わさると、照明対象物に太陽光に近似した光を照射できる。
【０１１７】
また本実施形態では、ランプ光やＬＥＤ光を出射する光源２１ｂ，２１ｃに対し、導光部材７７が共有されている。これにより本実施形態では、光源２１ｂ，２１ｃの数と導光部材７７の数とを同一にする必要が無く、導光部材７７を増やさずにすむ。
【０１１８】
また本実施形態では、ランプ光の発光領域とＬＥＤ光の発光領域とはレーザ光の発光領域と比較して大きく、またランプ光の光学特性とＬＥＤ光の光学特性とは近似している。このため、本実施形態では、導光部材７７を共有でき、導光部材７７にバンドルファイバを用いることができる。
【０１１９】
また本実施形態では、第２の光変換ユニット１１１は、光源光Ｂ，Ｃ（ランプ光とＬＥＤ光と）のピーク波長とスペクトル形状とをほとんど変化させずに、光源光Ｂ，Ｃの放射角のみを変換する。そして、ランプ光とＬＥＤ光とは、この状態で、照明対象物を照射する。よって本実施形態では、光源２１ｂ，２１ｃに対し、第２の光変換ユニット１１１も共有できる。
【０１２０】
また本実施形態では、導光部材７３の中心軸と導光部材７７の中心軸とは同軸上に配設されている。これにより本実施形態では、１次変換光が第２の光変換ユニット１１１によって変換されて出射される際の照射領域の中心と、ランプ光またはＬＥＤ光が第２の光変換ユニット１１１によって変換されて出射される際の照射領域の中心と、を一致できる。また本実施形態では、レーザ光の照射領域の大きさと影のでき方と、ランプ光またはＬＥＤ光の照射領域の大きさと影のでき方とを略同一にできる。よって本実施形態では、光源光Ａ，Ｂ，Ｃが切り替わり照明対象物を照射する際に、切り替わりによって生じる観察者の違和感を軽減できる。
【０１２１】
特に本実施形態では、出射端部７５と出射端部７９と出射端部１０９とが同心円状に配置されているため、照明光の照射領域や影のでき方などをより等しくできる。
【０１２２】
また本実施形態では、導光部材７７の他端部は第１の光変換ユニット１０３に固定されているために、導光ユニット７１が屈曲しても、照明光の照明領域や影のでき方がずれにくい。
【０１２３】
また本実施形態では、導光部材７３の一端部側と導光部材７７の一端部側とは、自由端であり、導光部材７３の中心軸方向に沿って相対的に移動可能となっている。これにより本実施形態では、導光ユニット７１を容易に屈曲でき、また、屈曲しても導光部材７３，７７の破断の可能性を低下できる。
【０１２４】
また本実施形態では、第２の光変換ユニット１１１によって、例えばレーザ光とランプ光とは同じ光学特性（例えば放射角）を有することができる。また本実施形態では、第２の光変換ユニット１１１が放射角を変換するため、第１の光変換ユニット１０３は放射角を変換する機能を有する必要が無く、第１の光変換ユニット１０３を小型にできる。
【０１２５】
また本実施形態では、導光部材７３は、単線の光ファイバによって形成されることで、レーザ光を出射する光源モジュール２０ａに対応できる。また本実施形態では、導光部材７７は、複数の光ファイバの素線が束ねられることによって形成されているバンドルファイバを有することで、ランプ光を出射する光源モジュール２０ｂ、またはＬＥＤ光を出射できる光源モジュール２０ｃに対応できる。
【０１２６】
また本実施形態では、導光部材７３は空洞部８５によって導光部材７７の内部に配設されるため、照射モジュール６０を細径にできる。
【０１２７】
[変形例]  
以下に本実施形態の変形例について説明する。
[変形例１、光源駆動ユニット５０について、図７]
本実施形態では、光源駆動ユニット５０は、接続ケーブル３３ａを介して光源モジュール２０ａを制御しているが、図示はしないが接続ケーブル３３ｂと光源モジュール２０ｂと固定ユニット６１を介して光源モジュール２０ａを制御してもよい。この場合、固定ユニット６１は、光源モジュール２０ａと接続する。このため、固定ユニット６１と光源モジュール２０ａとは、制御信号を送受信する送受信端子や電力を供給する供給端子等を含む電気接続端子を互いに搭載している。光源モジュール２０ａの種類の判別信号は、この接続部を利用することが望ましい。
【０１２８】
また図７に示すように、光源駆動ユニット５０は、光源モジュール２０ａよりも大型で電力を多く使用する光源モジュール２０ｂに直接搭載されていても良い。この場合、光源駆動ユニット５０は、固定ユニット６１と接続し、固定ユニット６１を介して光源モジュール２０ａを制御することが望ましい。
【０１２９】
また光源駆動ユニット５０は、光源モジュール２０ａに直接搭載されていても良い。これにより、光源モジュール２０ａのサイズと光源モジュール２０ｂのサイズとの差は小さくなり、保管等の管理が容易に実施される。
【０１３０】
[変形例２、導光部材７３，７７の組立手順について、図８、図９、図１０]  
[導光部材７３，７７の組立手順２]  
導光部材７３の出射端部７５は、スペクトル変換部材１０５と予め接続する。導光部材７７は、空洞部８５が形成されるように、複数の光ファイバ（素線）が束ねられることによって予め形成されている。これにより、導光部材７７は、円筒形状を有する。またこのとき図８と図９とに示すように、導光部材７７の出射端部７９において、光ファイバの素線は、複数のグループ７９ａ，７９ｂ，７９ｃ，７９ｄに分割され、グループ７９ａ，７９ｂ，７９ｃ，７９ｄごとに束ねられて固定されている。各グループ７９ａ，７９ｂ，７９ｃ，７９ｄは互いに離れており、出射端部７９は開いた状態となっている。  
なお、複数のグループ７９ａ，７９ｂ，７９ｃ，７９ｄごとに束ねて固定する方法は、既存の様々な技術を利用することができる。例えば、光ファイバの素線を、接着剤等を用いて固めることができる。また、図示しない個別のケースによりグループ７９ａ，７９ｂ，７９ｃ，７９ｄを束ねて固定しても良い。
【０１３１】
次に、導光部材７３は、開口端部８３から空洞部８５に挿入される。  
次に、各グループ７９ａ，７９ｂ，７９ｃ，７９ｄがスペクトル変換部材１０５を囲みスペクトル変換部材１０５に固定するように、出射端部７９は閉じる。
【０１３２】
これにより、導光部材７７と、第１の光変換ユニット１０３とは、正確に位置決めされ、確実に固定される。
【０１３３】
なおこの場合、図８に示すように、ケース８１は、側面開口部８７よりも他端部（出射端部７９）側、詳細には分割された素線の根元に配設されることが好適である。これにより、各グループをスペクトル変換部材１０５に固定する作業が、容易となる。
【０１３４】
なおグループの数は、例えば４つであるが、第１の光変換ユニット１０３の大きさや導光部材７７の肉厚などにより、数は限定されない。
【０１３５】
[導光部材７３，７７の組立手順３、図１０]  
導光部材７３の出射端部７５は、スペクトル変換部材１０５と予め接続する。図１０に示すように、導光部材７７は、空洞部８５が形成され、導光部材７７がＣ字の筒形状を有するように、複数の光ファイバ（素線）が束ねられることによって予め形成されている。このため、導光部材７７は、空洞部８５と連通している切り欠き部７７ａを有することとなる。
【０１３６】
次に、導光部材７３は、切り欠き部７７ａから空洞部８５に挿入される。  
これにより、導光部材７７と、第１の光変換ユニット１０３とは、簡単且つ正確に位置決めされ、確実に固定される。また本組立は、導光部材７３，７７が短い場合に、有効である。
【０１３７】
本実施形態と本変形例では、導光部材７３，７７の組立手順は、前記に限定されない。ここに示した組立手順は一例であり、ここに示さない様々な手法によっても本構造を実現することが可能である。
【０１３８】
[変形例３、導光部材７３，７７について]  
本実施形態では、導光部材７３は単線の光ファイバであり、導光部材７７は複数の光ファイバ（素線）が束ねられることによって形成されてバンドルファイバである。しかし、これに限定する必要は無い。
【０１３９】
導光部材７７は、例えば、屈折率の異なる部材が基板またはフィルムにパターニングされることで形成されてもよい。または、導光部材７７は、積層した光導波路がロールして円筒形状を有した状態で基板またはフィルムに配設されることで形成されてもよい。
【０１４０】
導光部材７３は、導光部材７７と同様の光導波路を用いることができる。  
光導波路は、複数の導光部材を分離または結合し、様々な複雑な光路をパターニングすることが可能である。
【０１４１】
導光部材７３，７７は、本発明の趣旨を逸脱しない範囲で、光源２１ａ，２１ｂ，２１ｃの発光領域の大きさや、光源システム１０の使用目的に応じて様々な光学特性を有するように構成することができる。
【０１４２】
[変形例４、光変換ユニット１０１について]  
本実施形態では、第１の光変換ユニット１０３はスペクトル変換部材１０５を搭載し、第２の光変換ユニット１１１は放射角変換部材（配光変換部材の一種）を搭載しているが、これに限定する必要は無い。一例を以下に記載する。もちろん、以下に記載した事項が組み合わせわれて使用されても良いし、単独で使用されても良い。
【０１４３】
Ａ：例えば、第１，２の光変換ユニット１０３，１１１は、凹レンズと凸レンズとホログラムレンズと回折格子との少なくとも１つを有していてもよい。凹レンズ、凸レンズ、凹レンズと凸レンズとの組み合わせは、照明光の放射角を変換する放射角変換部材として機能する。ホログラムレンズ、回折格子は、照明光の放射角を変換する放射角変換部材、または照明光の放射方向や配光部の分布を変換する配光変換部材として機能する。
【０１４４】
Ｂ：例えば、第１，２の光変換ユニット１０３，１１１において、放射変換部材は、粒子が内部に分散されている樹脂やガラスによって形成されていてもよい。または例えば、放射角変換部材は、屈折率が互いに異なる複数の透明な粒子等の部材の混合によって形成されていてもよい。この粒子等の部材は、高屈折率と高反射率とを有する例えばアルミナなどが好適である。または例えば、放射変換部材は、スリガラス等の散乱板や、表面に微小な凹凸が配設されている拡散板によって形成されていてもよい。
【０１４５】
Ｃ：第１，２の光変換ユニット１０３，１１１において、スペクトル変換部材１０５は、光半導体材料とＳＨＧ（２次高調波）材料とエレクトロルミネッセンス材料との少なくも１つを有していてもよい。
【０１４６】
Ｄ，Ｅ：第１，２の光変換ユニット１０３，１１１は、光源光の一部が透過し、光源光の他部が遮光される部材によって形成されていても良い。  
Ｄ：この部材は、例えば波長選択性を有する光学フィルタである。この光学フィルタは、例えば、波長カットフィルタと色素フィルタと光共振器（エタロン）との少なくも１つを有していてもよい。  
Ｅ：この部材は、例えば空間選択性を有する光透過変調部材である。光透過変調部材は、例えば、光スイッチとエレクトロクロミックと液晶デバイスとの少なくとも１つを有していてもよい。
【０１４７】
例えば、光源２１ａの安全向上とスペックル除去とに対しては、Ｂが好適である。また、ランプ光とＬＥＤ光との放射角が調整される場合には、ＡとＢとの少なくとも一方を用いることが好適である。
【０１４８】
[変形例５、導光部材７３と導光部材７７と第１の光変換ユニット１０３との配置の関係について]  
[導光部材７３と導光部材７７と第１の光変換ユニット１０３との配置の関係２について、図１１]  
本実施形態では、第１の光変換ユニット１０３を囲む導光部材７７の他端部（出射端部７９）はリング形状を有しているが、これに限定する必要は無い。導光部材７７の他端部（出射端部７９）は、図１１に示すように楕円形状の外形を有していても良い。本変形例では出射端部７９の外縁は、出射端部１０９の外縁を囲んでいる。
なお、導光部材７７の他端部（出射端部７９）は、楕円形状の他に、多角形や三日月形等、様々な形状が可能である。導光部材７７の他端部（出射端部７９）は、それを搭載する部材の形状や利用目的などに応じて自由な形とすることができる。
【０１４９】
これにより、本変形例では、導光ユニット７１の先端部における設計自由度とレイアウト自由度とを向上できる。
【０１５０】
[導光部材７３と導光部材７７と第１の光変換ユニット１０３との配置の関係３について、図１２]  
本実施形態では、導光部材７７は、第１の光変換ユニット１０３全体を囲んでいるが、これに限定する必要は無い。例えば導光部材７７の他端部（出射端部７９）が第１の光変換ユニット１０３の出射端部１０９の近傍に配設されていれば、導光部材７７は、第１の光変換ユニット１０３の少なくとも一部を囲んでいてもよい。
【０１５１】
出射端部７５，７９，１０９が導光部材７３の中心軸に対して直交する平面に投影された際、この平面に形成される出射端部７５の投影図の外縁は、この平面に形成される出射端部１０９の投影図の外縁により囲まれている。また出射端部１０９の投影図の外縁の少なくとも一部は、この平面に形成される出射端部７９の投影図の外縁の少なくとも一部に略隣接している。
【０１５２】
すなわち、導光部材７７の他端部（出射端部７９）は、第１の光変換ユニット１０３の少なくとも一部を囲むように、第１の光変換ユニット１０３の少なくとも一部に取り付けられている。導光部材７７の他端部（出射端部７９）は、スペクトル変換部材１０５の出射端部１０９を囲んでいる。また導光部材７７の他端部の厚みは、導光部材７７の中心軸方向における位置によって異なっている。
【０１５３】
これにより本変形例では、より小型かつ組立が容易で、導光ユニット７１の先端部における設計自由度とレイアウト自由度とが向上した光源システム１０を提供できる。
【０１５４】
[変形例６、第１の光変換ユニット１０３について]  
本実施形態では、スペクトル変換部材１０５は例えば、ＹＡＧ：Ｃｅ蛍光体粉末が樹脂やガラスに分散されることで形成される。しかし、白色光が青色のレーザ光から生成できればこれに限定される必要は無い。スペクトル変換部材１０５は、例えば青色のレーザ光を受光することで、青色のレーザ光を白色光に変換する少なくとも１つの蛍光体を有していても良い。これにより、本変形例では、よりスペクトルのブロードな白色光を実現できる。
【０１５５】
またスペクトル変換部材１０５は、青色のレーザ光を所望の色にスペクトル変換する蛍光体を有していてもよい。これにより本変形例では、白色光だけでなく、様々な色を有する照明光を出射できる。なお、様々な色を有する照明光において、レーザ光の拡散光を外部に出射するか出射しない様にするかは必要に応じて適宜選択できる。
【０１５６】
[変形例７、光源２１ａ，２１ｂ，２１ｃについて]  
本実施形態では、光源２１ａは青色の半導体レーザを有しているが、これに限定されない。光源２１ａは、発光領域と有効な入射領域とが小さい導光部材７３と光結合できればよい。このような光源２１ａは、例えば、スーパールミネッセント光を出射するスーパールミネッセントダイオード（ＳＬＤ）や、様々なレーザ光源などを有している。
【０１５７】
また光源２１ａは、青色以外の色を有するレーザ光を出射するレーザ光源を有していてもよい。このレーザ光源は、例えば半導体レーザ、固体レーザ、ガスレーザ等を有している。このとき、レーザ光がそのままの色で出射される場合、拡散板等の放射変換ユニットが配設されることも可能である。
【０１５８】
また本実施形態では、光源２１ｂはＸｅランプを有し、光源２１ｃはＬＥＤを有しているが、これに限定される必要は無い。光源２１ｂ，２１ｃは、発光領域と有効な入射領域とが大きい導光部材７７と光結合できればよい。このような光源２１ｂ，２１ｃは、例えば蛍光管やＥＬ発光材料などを有している。
【０１５９】
また光源２１ｂ，２１ｃは、白色レーザやスーパーコンティニューム光源などを有していてもよい。また光源２１ｂは、例えば、放電タイプのランプやフィラメントタイプのランプなど、様々なランプを用いることができる。放電タイプのランプは、例えばメタルハライドランプを利用できる。フィラメントタイプのランプは、例えばハロゲンランプを利用できる。
【０１６０】
また本実施形態では、光源モジュール２０ａ，２０ｂ，２０ｃは別体であるが、これに限定する必要は無く、例えば光源モジュール２０ａと光源モジュール２０ｂとは一体であっても良い。この場合、光源モジュール２０ａ，２０ｂと照射モジュール６０との接続において、１つの機械的な固定部６５ａに２つの入射端部６３ａ，６３ｂが配設されていてもよいし、固定部６５ａ，６５ｂがそれぞれ独立に設けてもかまわない。
【０１６１】
前記した実施形態と各変形例とは一例に過ぎず、発明の趣旨を逸脱しない範囲で様々な修整が可能である。
【０１６２】
また本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【０１６３】
１０…光源システム、２０ａ，２０ｂ，２０ｃ…光源モジュール、５０…光源駆動ユニット、６０…照射モジュール、６１…固定ユニット、７１…導光ユニット、７３，７５…導光部材、７５，７９…出射端部、１０１…光変換ユニット、１０３…第１の光変換ユニット、１０５…スペクトル変換部材、１０７…保持部材、１０９…出射端部、１１１…第２の光変換ユニット。
【図１】
0005913949.tif 000002
【図２】
0005913949.tif 000003
【図３Ａ】
0005913949.tif 000004
【図３Ｂ】
0005913949.tif 000005
【図４】
0005913949.tif 000006
【図５】
0005913949.tif 000007
【図６】
0005913949.tif 000008
【図７】
0005913949.tif 000009
【図８】
0005913949.tif 000010
【図９】
0005913949.tif 000011
【図１０】
0005913949.tif 000012
【図１１】
0005913949.tif 000013
【図１２】
0005913949.tif 000014